(57)【要約】【課題】  従来のHTML情報表示装置は、解析されたＨＴＭＬ情報中の指定された位置にハイパーリンクを設置するため、HTML情報表示画面範囲外に出て、画面には表示されない場合も存在する。この状態ではハイパーリンクによる移動を行えず、再度スクロールするなどして、ハイパーリンクを画面内に表示させる必要があるという問題があった。【解決手段】  解析されたＨＴＭＬ情報の表示領域とは別に、ハイパーリンクの存在を示す領域を設けることで、ＨＴＭＬ情報の表示状態にかかわらず、ハイパーリンクの存在をユーザーに知ることを可能とするとともに、その領域を選択可能とする、あるいは専用のボタンを利用することで、ＨＴＭＬ情報の表示状態にかかわらず、ハイパーリンクのリンク先に移動可能とする。【選択図】  図１
2006011536.tif 000002
【特許請求の範囲】
【請求項１】
ハイパーリンクを持ったデータの表示機能を備えた情報表示装置において、
前記データの内容を表示する情報表示領域と、該データ内の前記ハイパーリンクを示すリンク領域と、を表示画面に表示する表示部を備え、
前記リンク領域は、前記情報表示領域に表示する前記データをスクロールした時に、該データの該スクロールと共に該スクロールしないことを特徴とする情報表示装置。
【請求項２】
請求項１に記載の情報表示装置において、
前記リンク領域は、前記表示画面内における前記情報表示領域外にあることを特徴とする情報表示装置。
【請求項３】
請求項１に記載の情報表示装置において、
前記リンク領域は、前記ハイパーリンクの示すデータを前記情報表示領域に表示するためのユーザーインターフェイスであることを特徴とする情報表示装置。
【請求項４】
請求項１に記載の情報表示装置において、
前記前記ハイパーリンクが示すデータを前記表示画面に表示させるためにユーザーが直接操作する入力部を備えたことを特徴とする情報表示装置。
【請求項５】
請求項１に記載の情報表示装置において、
前記リンク領域は前記ハイパーリンクが示すデータの存在位置を表示することを特徴とする情報表示装置。
【請求項６】
請求項１に記載の情報表示装置において、
前記リンク領域は前記情報表示領域に表示した前記ハイパーリンクに用いられている文字列を表示することを特徴とする情報表示装置。
【請求項７】
請求項１に記載の情報表示装置において、
前記リンク領域は前記情報表示領域に表示した前記ハイパーリンクに用いられている画像を表示することを特徴とする情報表示装置。
【請求項８】
請求項１に記載の情報表示装置において、
前記リンク領域は、前記ハイパーリンクの存在の有無を示す所定文字列を表示することを特徴とする情報表示装置。
【請求項９】
請求項１に記載の情報表示装置において、
前記リンク領域は、前記ハイパーリンクの存在の有無を示す所定画像を表示することを特徴とする情報表示装置。
【請求項１０】
請求項１に記載の情報表示装置において、
前記データが持つ前記ハイパーリンクが複数であったときには、前記リンク領域を複数表示することを特徴とする情報表示装置。
【請求項１１】
請求項１に記載の情報表示装置において、
前記データが持つ前記ハイパーリンクが複数であったときに、前記リンク領域には、該複数のハイパーリンクの内の一つを選択表示することを特徴とする情報表示装置。
【発明の詳細な説明】
【技術分野】
【０００１】
本発明は、情報間移動手段を持った情報表示装置に関する。
【背景技術】
【０００２】
様々な情報を転送し、表示するための手段として、ハイパーテキスト記述言語（ＨＴＭＬ（Hyper Text Markup Language））が用いられている。ＨＴＭＬは、ＨＴＭＬで記述されたハイパーテキストを解読し、表示可能とする、WebサーバにアクセスするためのソフトウェアであるHTMLブラウザを表示手段として用いることで、自動的に解析され、ユーザーに理解できる形で情報表示装置の画面表示部に表示される。図８は従来の情報表示装置の概略ブロック図を示しており、HTML解析表示部３１は、HTMLデータ入力部３３、HTML解析部３５、HTML表示部３７、画面表示部３９を有している。
【０００３】
HTMLデータ入力部３３によって任意の方法で取得されたＨＴＭＬは、HTML解析部３５にて解析され、そのＨＴＭＬの解析結果はHTML表示部３７に入力され、表示画面の特定の位置に表示できるように構成された後に、画面表示部３９で表示される。
【０００４】
上記ＨＴＭＬには、別のＨＴＭＬもしくは他の情報へと移動するための、ハイパーリンクが存在する。このようなハイパーリンク機能を実現するための表示装置として、複数のユーザーインターフェイスデバイスを有した遠隔制御ユニットを用いたHTML表示装置に関する技術が開示されている。この装置によるHTMLブラウザは、その解析するＨＴＭＬの内容に従って、解析されたＨＴＭＬ情報の指定された位置にハイパーリンクを設置する。この設置されたハイパーリンクは、一般に、ＨＴＭＬ情報をスクロールさせると、同時にスクロールされるものが知られている（例えば、特許文献１参照）
【特許文献１】特開２０００−１６３１９０号公報
【発明の開示】
【発明が解決しようとする課題】
【０００５】
しかしながら、上記特許文献１では、解析されたＨＴＭＬ情報の指定された位置にハイパーリンクを設置するため、この設置されたハイパーリンクは、一般に、ＨＴＭＬ情報をスクロールさせると、同時にスクロールされ、HTML情報表示範囲外に出て、画面には表示されない場合がある。このハイパーリンクが表示されない状態のままではハイパーリンクによる移動を行えず、再度スクロールするなどして、ハイパーリンクを画面内に表示させるためのスクロール操作が必要となり、更にハイパーリンクを戻した時にそのハイパーテキストの位置から再度、スクロール前の位置に戻すためのスクロール操作が必要となり、煩雑なスクロール操作が多く、操作性を損なうという問題があった。
【０００６】
本発明は、以上のような問題点を解決するためになされたものであって、その目的は、HTML情報表示やスクロール表示を確保しつつ、ハイパーリンクへの迅速なアクセスを可能とする情報表示装置を提供することにある。
【課題を解決するための手段】
【０００７】
本発明では、ハイパーリンクを持ったＨＴＭＬを表示する場合に、そのＨＴＭＬの表示領域外にスクロールと共にスクロールしない領域、固定領域であるリンク領域を設け、そこにハイパーリンクの存在を表示する。
【０００８】
また、そのリンク領域に、選択することでリンク先に移動可能とするボタン機能（インターフェース）を持たせることができる。
【０００９】
また、前記リンク領域にハイパーリンクの存在を表示している場合に、専用のボタン等の選択操作で該領域や固定領域を選択することでリンク先に移動可能としてもよい。
【発明の効果】
【００１０】
解析されたＨＴＭＬ情報の表示領域とは別に、ハイパーリンクの存在を示すリンク領域を設けることで、ＨＴＭＬ情報の表示状態にかかわらず、ハイパーリンクの存在をユーザーが知ることが可能となる。従って、ＨＴＭＬ情報の自由なスクロール表示を確保しつつ、ハイパーテキストを選択する場合にもスクロールを戻す等の操作が必要なくなり、操作性が格段に向上できる。
【００１１】
また、そのリンク領域を選択可能とすることで、ＨＴＭＬ情報の表示状態にかかわらず、ハイパーリンクのリンク先に移動可能となる。
【００１２】
更に、専用のボタン等を利用することで、ＨＴＭＬ情報の表示状態にかかわらず、ハイパーリンクのリンク先に移動可能となる。
【発明を実施するための最良の形態】
【００１３】
［第１の実施の形態］
本発明における第１の実施形態について図面を参照して説明する。図１は、本発明の第１の実施形態に係る情報表示装置の表示画面の一例を示している。
【００１４】
図１に示すように本実施形態に係る表示画面１ａは、HTML表示領域３と、リンク存在表示領域５ａ、スクロールバー７を有している。
【００１５】
HTML表示領域３は、解析されたＨＴＭＬを表示する領域である。
【００１６】
リンク存在表示領域５ａは、HTML表示領域３に表示中のＨＴＭＬにハイパーリンクが存在するか否かを表示する領域である。リンク存在表示領域５ａの大きさは、ユーザーがハイパーリンクの存在や内容等を知覚できる大きさであれば良い。
【００１７】
リンク存在表示領域５ａに表示する情報は、ハイパーリンクの有無や、リンク存在表示領域に表示する文字列や、画像などを単一或は組み合わせて適宜選択的に表示できる。ここでいう文字列には、リンク先のＵＲＬ（Uniform Resource Locator：インターネット上のリソースのロケーションを指し示す記述様式）を使用することもできるし、ＨＴＭＬ中のリンクを示す部分から引用することもできるし、一定の固定文、例えば「リンクが存在します」等を表示することもできる。また、画像には、ＨＴＭＬ中のリンクを示す部分に表示する画像を使用することもできるし、一定の画像、例えば、リンクが存在することを表現したボタンの画像等を表示することもできる。
【００１８】
また、リンク存在表示領域５ａは、リンクの有無を示すとともに、この表示画面における、ボタンとしての機能を持つ。このリンク存在表示領域５ａのボタンとしての機能を実行もしくは選択することによって、有無を示しているリンク先に移動し、そのＨＴＭＬを表示領域３に表示する。本実施形態では、ハイパーリンクが複数ある場合には、第一のリンク先に移動するように実装している。リンク存在表示領域５ａのボタンとしての機能の実行もしくは選択の方法としては、ユーザーからの操作を受け付ける入力装置に専用の物理的なボタンやスイッチ等を設けても良いし、キー入力装置のカーソルキーなどで表示画面１ａ上のリンク存在表示領域５ａを選択し、決定ボタンで選択する仕組みを設けても良いし、マウスのようなポインティングデバイスを用いて表示画面１ａ上でリンク存在表示領域５ａを選択する仕組みを設けても良い。
【００１９】
スクロールバー７は、HTML表示領域３に表示中のＨＴＭＬをスクロールするために使用する。このスクロールバー７の操作によっては、リンク存在表示領域５ａはスクロールしない領域としている。係る領域は、表示画面１ａ内で固定領域としても良く、ユーザーの好みや他の表示領域との配置の利便性を考慮した位置に表示画面１ａ内で移動可能な領域としても良い。
【００２０】
図２は、図１に示した表示画面１ａを出力する情報表示装置１１の構成例を示す概略ブロック図である。
【００２１】
図２に示すように本実施の形態に係る情報表示装置１１には、外部からHTMLデータ９が入力される。入力されたHTMLデータ９は、HTML解析表示部１３に入力され、内部で表示画面１ａに表示するための画面構成を生成する。結果は、表示画面１ａに表示される。装置の使用者は、操作部１７を用いて、表示画面１ａに対する入力を行い、主に次に表示する情報の選択を行う。操作部１５からの入力に従って、また別のHTMLデータ９が入力される。
【００２２】
図３は、図１に示した表示画面１ａを出力する、情報表示装置１１のHTML解析表示部１３のブロック図である。図３に示すようにHTML解析表示部１３は、HTMLデータ入力部１９、HTML解析部２１、HTML表示部２３、画面表示部２５、ハイパーリンク有無判定部２７、ハイパーリンク存在表示部２９を有している。
【００２３】
HTMLデータ入力部１９は、任意の方法で取得したHTMLデータ９をHTML解析部２１に入力する。
【００２４】
HTML解析部２１は、入力されたHTMLデータ９を解析し、その解析結果をHTML表示部２３に入力するとともに、その解析中にハイパーリンクが見つかったか否かをハイパーリンク有無判定部２７に入力する。この時、ハイパーリンク有無判定部２７へのデータには、リンク先のＵＲＬや、リンク用文字列などを含めることもできる。
【００２５】
HTML表示部２３は、入力されたHTMLデータ９の解析結果を表示画面１ａの特定の位置に表示できるように構成し、画面表示部２５に入力する。
【００２６】
ハイパーリンク有無判定部２７は、入力された情報から、ハイパーリンクの有無を確認し、表示画面１ａのリンク存在表示領域５ａに表示するべき情報をハイパーリンク存在表示部２９に入力する。この情報には、ハイパーリンクの有無を含むとともに、リンク存在表示領域５ａに表示する文字列や、画像などを含むこともできる。ここでいう文字列には、リンク先のＵＲＬを使用することもできるし、ＨＴＭＬ中のリンクを示す部分から引用することもできるし、一定の固定文、たとえば、リンクが存在します、などを表示することもできる。また、ここでいう画像には、ＨＴＭＬ中のリンクを示す部分に表示する画像を使用することもできるし、一定の画像、たとえば、リンクが存在することを表現したボタンの画像、などを表示することもできる。
【００２７】
画面表示部２５は、HTML表示部２３から入力されたＨＴＭＬの画面表示情報と、ハイパーリンク存在表示部２９から入力されたハイパーリンク存在表示情報から、表示画面１ａ（図１，２）を構成して、表示を行う。
【００２８】
図４に、前記HTML解析表示部１３（図２，３）がＨＴＭＬを表示開始してから終了するまでのフロー図を示す。始めに、HTMLデータ９の入力によってHTML表示を開始し、まずHTML解析部２１（図３）がＨＴＭＬを解析する（ステップS１）。その結果によってハイパーリンク有無判定部２５(図３)がハイパーリンクの有無を判定し（ステップS２）、ハイパーリンク存在表示部２９に表示すべきデータを送る。
【００２９】
ステップS２にてハイパーリンクがあった場合には、ステップS３に進み、ハイパーリンク存在表示部２９がハイパーリンクの存在を表示するようにリンク存在表示領域５ａの表示内容を構成する（ステップS３）。また、ステップS２にてハイパーリンクが無かった場合には、ステップS４に進み、ハイパーリンク存在表示部２９がハイパーリンクの存在を表示しないように、リンク存在表示領域５ａの表示内容を構成する（ステップS４）。このハイパーリンクが無い場合の表示内容は、何も表示しないという手段を用いることもできる。いずれかのステップを通過した後はステップS５に進み、画面表示部２５がHTML表示画面を表示する（ステップS５）。
【００３０】
図４に示されたフロー図のとおりにHTML表示画面が表示された後、ユーザーは情報を閲覧できると同時に、次の情報に移動するための操作を行うことができる。この機能はリンク存在表示領域５ａ(図１)が概念的に有しており、前述した方法により実行することで、リンク先への移動を行う。
【００３１】
図５は、ハイパーリンク先への移動が実行されたときのフロー図を示す。ユーザーにより、いずれかの方法でリンク先への移動が実行された場合、まず、HTML表示領域３に表示中のＨＴＭＬにハイパーリンクが存在するかどうかを判定する（ステップＳ６）。この判定に用いる情報として、リンク存在表示領域５ａに表示した、ハイパーリンクの有無情報を用いる。ハイパーリンクが存在する場合には、ステップＳ７に進み、表示中のＨＴＭＬの解析結果から得られたＵＲＬより情報を取得し、HTML表示領域３にリンク先ＨＴＭＬを表示する（ステップＳ８）。ハイパーリンクが存在しない場合には、何もせずに終了する（ステップＳ９）。
【００３２】
以上、本発明の第１の実施の形態に係る装置では、解析されたＨＴＭＬ情報の表示領域３とは別に、ハイパーリンクの存在を示す領域５ａを設けることで、ＨＴＭＬ情報の表示状態にかかわらず、ハイパーリンクの存在を知ることが可能となる。また、その領域を選択可能とすることで、ＨＴＭＬ情報の表示状態にかかわらず、ハイパーリンクのリンク先に移動可能となる。もしくは、専用のボタンを利用することでも、ＨＴＭＬ情報の表示状態にかかわらず、ハイパーリンクのリンク先に移動可能となる。これらの機能によって、ＨＴＭＬによる情報をすばやくたどっていくことが可能となる。
【００３３】
［第２の実施の形態］
本発明における第２の実施形態について図６，７を参照しつつ説明する。尚、上記構成と同一部分には同一符号を付し、説明を省略する。
【００３４】
図６は、HTML解析表示部１３（図２，３）での入力HTMLデータ９の解析においてハイパーリンクが存在しない場合の表示画面１ｂを示しており、リンク存在表示領域５ａのない表示画面１ｂとなっている。
【００３５】
一方、図７は、HTML解析表示部１３（図２，３）での入力HTMLデータ９の解析においてハイパーリンクが複数存在する場合（ここでは３つ）の表示画面１ｃを示しており、３つのリンク存在表示領域５ｂ〜５ｄが表示されている。図７６において、表示画面１ｃは、HTML表示領域３と、複数のリンク存在表示領域５ｂ〜５ｄ、スクロールバー７を有している。
【００３６】
複数のリンク存在表示領域５ｂ、５ｃ、５ｄは以下のように機能する。
【００３７】
例えば、解析されたＨＴＭＬが３つのハイパーリンクを持つ場合、３つのリンク存在表示領域５ｂ〜５ｄを設けると共に、リンク存在表示領域５ｂに第一のハイパーリンクの存在を表示し、リンク存在表示領域５ｃに第二のハイパーリンクの存在を表示し、リンク存在表示領域５ｄに第三のハイパーリンクの存在を表示する。各表示の内容は、順に、リンク１、リンク２、リンク３となっている。ただし、表示内容はこれに限定されず、第１の実施の形態で示した図１のリンク存在表示領域５ａに関して説明したように、リンク先のＵＲＬやＨＴＭＬ中のリンクを示す部分などの文字列を利用することもできるし、ＨＴＭＬ中のリンクを示す部分に表示する画像などを表示することもできる。
【００３８】
尚、表示画面１ｃに表示するリンク存在表示領域の数は制限されるため、表示しきれないハイパーリンクがあることをユーザーに知らせるために、文字、図形、記号等を表示することもできる。
【００３９】
また、図７に示した表示画面１ｃを出力する情報表示装置のHTML解析表示部の概略ブロック図は、図３と同様となり、各部の機能も第１の実施の形態で示したものとそれぞれ同様である。ただし、ハイパーリンク存在表示部２９は、複数のリンク存在領域表示情報を出力する。
【００４０】
この結果、前述のように図７に例示したような画面が出力される。このとき、複数のリンク存在表示領域５ｂ〜５ｄは、第１の実施形態と同様にボタンとして機能し、ユーザーからの入力によって選択され、ハイパーリンクによる移動の機能を実行する。この実行もしくは選択方法には、ユーザーからの操作を受け付ける入力装置に、専用の物理的なボタンを設けても良いし、カーソルキーなどで選択し、決定ボタンで選択する仕組みを設けても良いし、マウスのようなポインティングデバイスを用いて選択する仕組みを設けても良い。
【００４１】
以上、本発明の装置では、解析されたＨＴＭＬ情報の表示領域とは別に、ハイパーリンクの存在を示す領域を複数設けることで、ＨＴＭＬ情報の表示状態にかかわらず、複数のハイパーリンクの存在を知ることが可能となる。また、それぞれの領域を選択可能とすることで、ＨＴＭＬ情報の表示状態にかかわらず、各ハイパーリンクのリンク先に移動可能となる。もしくは、専用のボタンを利用することでも、ＨＴＭＬ情報の表示状態にかかわらず、ハイパーリンクのリンク先に移動可能となる。これらの機能によって、複数のハイパーリンクを持ったＨＴＭＬによる情報をすばやく選択しながらたどっていくことが可能となる。
【００４２】
［第３の実施の形態］
本発明における第３の実施形態について第１の実施形態の図面を参照して説明する。本第３の実施の形態では、リンク存在表示領域１０３の挙動が第１の実施の形態の場合と異なり、以下のように機能する。
【００４３】
例えば、解析されたＨＴＭＬが３つのハイパーリンクを持つ場合、リンク存在表示領域５ａには、まず第一のハイパーリンクの存在を表示する。この状態で、ユーザーからの入力部による、ハイパーリンク選択の入力によって、リンク存在表示領域５ａに第二のハイパーリンクの存在を表示する。さらに、同様の入力によって、リンク存在表示領域５ａに第三のハイパーリンクの存在を表示する。さらにもう一度同様の入力を行うことで、リンク存在表示領域５ａには、再度第一のハイパーリンクの存在を表示する。すなわち、各表示の内容は、順に、リンク１、リンク２、リンク３、リンク１というようにリンク１〜３をその順番に繰り返し表示する。ただし、表示内容はこれに限定されず、第１の実施の形態で示した図１のリンク存在表示領域５ａに関して説明したように、リンク先のＵＲＬやＨＴＭＬ中のリンクを示す部分などの文字列を利用こともできるし、ＨＴＭＬ中のリンクを示す部分に表示する画像などを表示することもできる。また、リンク存在表示領域５ａは、ボタンとして機能し、選択したいハイパーリンクを表示させた状態で、ユーザーからの入力によって選択され、各ハイパーリンクによる移動の機能を実行する。この実行もしくは選択方法には、ユーザーからの操作を受け付ける入力装置に、専用の物理的なボタンを設けても良いし、カーソルキーなどで選択し、決定ボタンで選択する仕組みを設けても良いし、マウスのようなポインティングデバイスを用いて選択する仕組みを設けても良い。
【００４４】
尚、リンク存在表示領域５ａに表示しないハイパーリンクがあることをユーザーに知らせるために表示画面１ａ内にその旨を示す文字、図形、記号等を表示することもできる。
【００４５】
また、第３の実施形態による情報表示装置のHTML解析表示部１３（図３）を示す概略ブロック図は、第１の実施の形態で示した図３と同様となる。また、各部の機能も第１の実施の形態で示したものとそれぞれ同様である。ただし、ハイパーリンク存在表示部２９は、複数のリンク存在領域表示情報を出力する。
【００４６】
以上、本発明の装置では、解析されたＨＴＭＬ情報の表示領域とは別に、ハイパーリンクの存在を示す領域の、ハイパーリンク情報を切り替え可能とすることで、ＨＴＭＬ情報の表示状態にかかわらず、複数のハイパーリンクの存在を知ることが可能となる。また、その領域を選択可能とすることで、ＨＴＭＬ情報の表示状態にかかわらず、各ハイパーリンクのリンク先に移動可能となる。これらの機能によって、複数のハイパーリンクを持ったＨＴＭＬによる情報をすばやく選択しながらたどっていくことが可能となる。
【産業上の利用可能性】
【００４７】
本実施形態の情報表示装置は、ハイパーリンクを含むＨＴＭＬを表示する情報表示装置に適している。
【図面の簡単な説明】
【００４８】
【図１】本発明の第１の実施形態に係る情報表示装置１１の画面出力の概略正面図である。
【図２】本発明の第１の実施形態に係る情報表示装置１１の構成示す概略ブロック図である。
【図３】本発明の第１の実施形態に係るＨＴＭＬ解析表示部１３の構成を示す概略ブロック図である。
【図４】本発明の第１の実施形態に係る情報表示装置１３がＨＴＭＬ表示を行う時のフロー図である。
【図５】本発明の第１の実施形態に係る情報表示装置１３がＨＴＭＬのハイパーリンクによる移動を行う時のフロー図である。
【図６】本発明の第２の実施形態に係る情報表示装置の画面出力の概略正面図である。
【図７】本発明の第２の実施形態に係る情報表示装置の画面出力の概略正面図である。
【図８】従来技術による情報表示装置の構成を示す概略ブロック図である。
【符号の説明】
【００４９】
１ａ〜１ｃ  表示画面
３  HTML表示領域
５ａ〜５ｄ  リンク存在表示領域
７  スクロールバー
９  ＨＴＭＬデータ
１１  情報表示装置
１３  HTML解析表示部
１７  操作部
１９  HTMLデータ入力部
２１  HTML解析部
２３  HTML表示部
２５  画面表示部
２７  ハイパーリンク有無判定部
２９  ハイパーリンク存在表示部
【図１】
2006011536.tif 000003
【図２】
2006011536.tif 000004
【図３】
2006011536.tif 000005
【図４】
2006011536.tif 000006
【図５】
2006011536.tif 000007
【図６】
2006011536.tif 000008
【図７】
2006011536.tif 000009
【図８】
2006011536.tif 000010